(57)【特許請求の範囲】
【請求項１】
ロフト角およびフェース角の調整可能なゴルフクラブはソール面にソール凹み部２４が凹設され、これにソールウエイト２８を嵌合させ、前記ソールウエイト２８の底面が前記ソール面から調整された突出高さを以って固定されるロフト角およびフェース角の調整可能なゴルフクラブであって、
前記ソール面の前記ソール凹み部２４の底面にはロフト角およびフェース角を調整可能ならしめる為のボルト挿入孔４４がフェース側およびバックフェース側にありその内面に雌螺子が螺刻され、
前記ソール凹み部２４の平面視はゴルフクラブのヘッドのフェース側の一辺が該フェース面に略平行で前記ソールウエイト２８と略同形の略台形状であって、前記ソールウエイト２８の底面には前記ソール凹み部２４のボルト挿入孔４４に対応する位置に、その内面が平滑なボルト貫通孔４２が前記フェース側および前記バックフェース側にあり、そのボルト貫通孔４２ａとボルト貫通孔４２ｂの間に止めビス挿入孔４６がありその内面に雌螺子が螺刻され、前記ソールウエイト２８に挿入される頭付きボルト４０が前記フェース側と前記バックフェース側にある前記ボルト貫通孔４２にそれぞれ貫通しその先端が前記ソール凹み部２４のボルト挿入孔４４に螺入されて前記ソール面に対する前記ソールウエイト２８の底面の突出高さが調整され、前記ソールウエイト２８に螺入りされる止めビス３６が前記止めビス挿入孔４６に螺入され前記止めビス３６の先端が前記ソール凹み部２４の底面を押圧して前記ソール面に対する前記ソールウエイト２８の底面の突出高さが固定されることを特徴とするロフト角およびフェース角の調整可能ならしめるゴルフクラブ。
【請求項２】
前記ソールウエイト２８は、金属または合成樹脂で作られて、平面視が前記ソール凹み部２４に略同形の略台形状で底面および該底面の縁部から立上る周壁を有し、前記ソールウエイト２８の底面は前記フェース側の縁部の突出高さが前記ソールウエイト２８の底面の前記バックフェース側の縁部の突出高さより低いことを特徴とする請求項１に記載のロフト角およびフェース角の調整可能ならしめるゴルフクラブ。
めるゴルフクラブ。
【請求項３】
前記ソール凹み部２４は、前記ソールウエイト２８が嵌合されるために前記バックフェース側が前記フェース側より凹みが深い形状で、その周壁が略垂直に囲んでいることを特徴とする請求項１から２のいずれかに記載のロフト角および前フェース角の調整可能ならしめるゴルフクラブ。
【発明の詳細な説明】
【技術分野】
【０００１】
本願発明は、ロフト角およびフェース角の調整可能なゴルフクラブに関する。
【背景技術】
【０００２】
ゴルフクラブのロフト角およびフェース角は、プレイヤーの体型やプレイスタイルに応じて様々なものが要求されるため、後加工でロフト角およびフェース角を変えることができるゴルフクラブが提案されている。【０００３】
たとえば、特開２００１-４６５５７号公報に開示されたものがあるが、この発明は、ゴルフクラブのライ角をプレイヤーの体形や好みに応じて容易に変えることができるゴルフクラブを提供することを目的としていて、その構成を、ゴルフクラブヘッドの内部に傾斜状態で固定されるプレートと、このプレートに穿設されてクラブシャフトの傾斜角をガイドするガイド孔と、このガイド孔に対応してゴルフクラブヘッドの挿入状態で取り付けられるシャフト固定管と、このシャフト固定管に挿入された状態で固定されるクラブシャフトと、からなるものとしている。【０００４】
また、本願出願人は、ゴルフクラブのロフト角およびフェース角を後加工で変えることができる発明を提案していて、その発明は、特開２００２-２８２４００号公報および特開２００３-６２１３１号公報に開示されている。【０００５】
特開２００２-２８２４００号公報に開示のものについて、図６を基に説明する。図６は特開２００２-２８２４００号公報に開示の実施例に係るクラブシャフトの先端部分の斜視図（図６（ａ））、およびゴルフクラブヘッドとクラブシャフトの接合部分断面図（図６（ｂ））である。クラブシャフト１０１は中空のカーボングラファイト製であって、先端がわずかに曲折し、この曲折部１０２は中空部分が充填された中実のムク状となっている。そして、ゴルフクラブヘッド１０３に穿設されたホーゼル部１０４内に曲折部１０２を埋入した後、クラブシャフト１０１を回動させることにより、ゴルフクラブのロフト角およびフェース角が変化し、所望のロフト角およびフェース角となった回動位置でホーゼル部１０４と曲折部１０２とを接着固定させるものである。【０００６】
そして、特開２００３-６２１３１号公報に開示のものについては、図７を基に説明する。図７は特開２００３-６２１３１号公報に開示の実施例に係るゴルフクラブヘッドの見上げ図（図７（ａ））、および側面図（図７（ｂ）および図７（ｃ））である。ゴルフクラブヘッド２０１のソール面２０２には側面視において一方向にテーパーのついた円盤２０３が回動自在に添着されていて、この円盤２０３を回動させることにより、ゴルフクラブのロフト角およびフェース角が変化し、所望のロフト角およびフェース角となった回動位置で円盤２０３をゴルフクラブヘッド２０１のソール面２０２に固定させるものである。
【特許文献１】特開２００１-４６５５７号公報
【特許文献２】特開２００２-２８２４００号公報
【特許文献３】特開２００３-６２１３１号公報
【発明の開示】
【発明が解決しようとする課題】
【０００７】
しかしながら、特開２００１-４６５５７号公報に開示のものは、プレートに穿設されたガイド孔の位置と数（実施例では５箇所に穿設されている。）によって、ゴルフクラブのライ角が断続的に定まり、ライ角を連続的に微妙に変えることはできない。【０００８】
また、特開２００２-２８２４００号公報に開示のものは、クラブシャフト１０１の曲折部１０２を回動させることにより、ロフト角およびフェース角を変えるものである。ロフト角にはリアルロフトとオリジナルロフトがあるが（リアルロフトとオリジナルロフトについては、後述する。）、当該発明においては、リアルロフトを変化させることによってフェース角を変化させるものであるので、ロフト角およびフェース角は相互関係をもって変化し、たとえば、ロフト角を一定にしてフェース角を変えることはできない。そして、特開２００３-６２１３１号公報に開示のものは、ゴルフクラブヘッド２０１のソール面２０２に添着された円盤２０３を回動させることにより、ロフト角およびフェース角を変えるものであるため、ゴルフ規則のゴルフクラブに関する付属規則に違反するおそれがあって、公式競技で使用することは難しい。【０００９】
そこで、本願発明は、後加工でゴルフクラブのロフト角およびフェース角をプレイヤーの体形や好みに応じて容易に、かつ、連続的に微妙に変えることができ、公式競技でも使用可能なゴルフクラブを提供することを目的とする。
【課題を解決するための手段】
【００１０】
本願請求項１に係るロフト角およびフェース角の調整可能なゴルフクラブは、ヘッドのソール面に凹設されたソール凹み部にソールウエイトが嵌合し、前記ソールウエイトの底面が前記ソール面から所望の突出高さを以って固定される、ことを特徴としている。
また、本願請求項２に係るロフト角およびフェース角の調整可能なゴルフクラブは、請求項１に記載のロフト角およびフェース角の調整可能なゴルフクラブであって、前記ソール凹み部は平面視が円形であり、
前記ソールウエイトは円盤状の頭部および該頭部の中心部に固着されその周面に雄螺子が螺刻された丸棒状の雄螺子部からなり、前記頭部は前記ソール凹み部に嵌合し、前記雄螺子部は前記ソール凹み部の底面に穿設され内面に雌螺子が螺刻された第1のボルト挿入孔に螺入されて、前記ソール面に対する前記ソールウエイトの底面の突出高さが調整され固定される、ことを特徴としている。
そして、本願請求項３に係るロフト角およびフェース角の調整可能なゴルフクラブは、請求項２に記載のロフト角およびフェース角の調整可能なゴルフクラブであって、前記頭部にはその内面に雌螺子が螺刻された第１の止めビス挿入孔が穿設され、止めビスが前記第１の止めビス挿入孔に螺入され該止めビスの先端が前記ソール凹み部の底面を押圧して前記ソール面に対する前記ソールウエイトの底面の突出高さが固定される、ことを特徴としている。
さらに、本願請求項４に係るロフト角およびフェース角の調整可能なゴルフクラブは、請求項１に記載のロフト角およびフェース角の調整可能なゴルフクラブであって、前記ソール凹み部の平面視は前記ヘッドのフェース側の１辺を該フェース面に略平行な曲線状あるいは直線状とする多辺形であり、前記ソールウエイトは平面視が前記ソール凹み部と略同形の底面および該底面の縁部から立上る周壁を有し、前記周壁が前記ソール凹み部に嵌合し、前記ソールウエイトの底面の前記フェース側の縁部および当該縁部に相対する前記ヘッドのバックフェース側の縁部はそれぞれが前記ソール面から所望の突出高さを以って固定され、前記ソール凹み部および前記ソールウエイトにより形成される空間内には必要に応じて前記ソールウエイトと同体の調整用ウエイトおよび／または前記ソールウエイトとは別体の調整用ウエイトが固着される、ことを特徴としている。
なお、本願明細書、特許請求の範囲および図面（以下、「本願明細書等」という。）において、バックフェースとは、フェースに相対するヘッドの後部をいうものとする。
また、本願請求項５に係るロフト角およびフェース角の調整可能なゴルフクラブは、請求項４に記載のロフト角およびフェース角の調整可能なゴルフクラブであって、前記多辺形は前記フェース側の１辺が前記バックフェースに略平行な前記バックフェース側の１辺よりも長い略台形の４辺形であり、前記ソールウエイトの底面の前記フェース側の縁部の突出高さは前記ソールウエイトの底面の前記バックフェース側の縁部の突出高さよりも低い、ことを特徴としている。
さらに、本願請求項６に係るロフト角およびフェース角の調整可能なゴルフクラブは、請求項４または請求項５に記載のロフト角およびフェース角の調整可能なゴルフクラブであって、前記ソールウエイトの底面にはその内面が平滑なボルト貫通孔およびその内面に雌螺子が螺刻された第２の止めビス挿入孔が穿設され、前記ソール凹み部の底面には前記ボルト貫通孔に対応する位置にその内面に雌螺子が螺刻された第２のボルト挿入孔が穿設され、頭付ボルトが前記ボルト貫通孔を貫通しその先端が第２のボルト挿入孔に螺入されて前記ソール面に対する前記ソールウエイトの底面の突出高さが調整され、止めビスが前記第２の止めビス挿入孔に螺入され該止めビスの先端が前記ソール凹み部の底面を押圧して前記ソール面に対する前記ソールウエイトの底面の突出高さが固定される、ことを特徴としている。
【発明の効果】
【００１１】
本願請求項１に係るロフト角およびフェース角の調整可能なゴルフクラブは、ロフト角およびフェース角を変える方法として、ソールウエイトの底面のソール面からの突出高さの調節方法、すなわち、ゴルフクラブの重さの調節方法に拠っている。このため、ゴルフ規則に適合し、当該ゴルフクラブを公式競技でも使用することができる。また、ソールウエイトはソール凹み部に嵌合しているので、ゴルフクラブのスイング中にソール面が地面と接触しても、ソールウエイトが脱落したり損傷を受けたりすることはない。【００１２】
本願請求項２に係るロフト角およびフェース角の調整可能なゴルフクラブは、ソールウエイトに円形のソール凹み部に嵌合する円盤状のものを使用している。この円盤はその中心を軸として回動するので、ソール凹み部に対し常に嵌合状態を保持することができる。また、円盤状の頭部の底面のソール面からの突出高さは、最大限、円盤の厚みとすることができ、円盤の厚みを変えることにより、所望のロフト角およびフェース角を得ることができ、かつ、ソールウエイトを所望の重さとすることができる。なお、本願発明に係る突出高さの調整は、第1のボルト挿入孔に螺入した雄螺子部を回動させて円盤状の頭部を上下に移動させることによりおこなわれる。【００１３】
円盤状の頭部の底面をソール面から所望の高さに突出して螺着し固定させる方法としては、螺着後、ソールウエイトとソール凹み部とを糊着する方法や溶着する方法があるが、本願請求項３に係るロフト角およびフェース角の調整可能なゴルフクラブでは、止めビスによってソールウエイトを固定させている。そのため、ソールウエイトを固定させた後でも、止めビスを緩めれば、再度、ソール面からの円盤状の頭部の突出高さを調整することができる。なお、ソールウエイトの底面の突出高さを固定させるためには、第１の止めビス挿入孔は１つでもよいが、２つ以上とすることが好ましい。後述する実施例１では、第１の止めビス挿入孔を２つとし、第１の止めビス挿入孔をそれぞれ、ソールウエイトの頭部の中心に対して対称の位置に配置している。【００１４】
本願請求項４に係るロフト角およびフェース角の調整可能なゴルフクラブは、ソールウエイトの形状を、多辺形を底面とし周壁を有する容器状としていて、多辺形のフェース面側の１辺をフェース面に略平行な曲線状あるいは直線状としている。このため、当該ゴルフクラブのソールウエイト面は地面と面接触することとなるので、フェアウエイウッドにも本願発明に係るソールウエイトを取り付けることができる。
また、凹み部とソールウエイトとにより形成される空間内に、必要に応じてソールウエイトと同体の調整用ウエイトおよび／またはソールウエイトとは別体の調整用ウエイトを固着することとしているため、所望のロフト角およびフェース角を得るとともに、プレイヤーの好みにあわせたバランスを有するゴルフクラブを得ることができる。ここにいう同体の調整用ウエイトとは、ソールウエイトと一体成型されて渾然一体となった調整用ウエイトをいい、別体の調整用ウエイトとは、ソールウエイトとは別個の調整用ウエイトをいう。後述する実施例２においては、同体の調整用ウエイトを使用した場合を示している。【００１５】
本願請求項５に係るロフト角およびフェース角の調整可能なゴルフクラブは、ソールウエイトの底面の形状をフェース面側の１辺がバックフェース側の１辺よりも長い略台形の４辺形とし、かつ、フェース面側の縁部の突出高さはバックフェース側の縁部の突出高さよりも低くしているため、当該ゴルフクラブの振り抜けがよくなり、フェアウエイウッドに対して使用した場合にも、使用し易いクラブを得ることができる。【００１６】
本願請求項６に係るロフト角およびフェース角の調整可能なゴルフクラブは、ソール面に対するソールウエイトの底面の突出高さの調整および固定を、それぞれ頭付ボルトおよび止めビスによっておこなうため、本願請求項３に係る発明と同様に、ソールウエイトを固定させた後でも、再度、ソール面からのソールウエイトの突出高さを調整することができる。なお、ソールウエイトの底面の突出高さを固定させるためには、第２のボルト挿入孔および第２の止めビス挿入孔はそれぞれ１つでもよいが、少なくともいずれか一方は２つ以上とすることが好ましい。後述する実施例２では、第２のボルト挿入孔を２つとし、第２の止めビス挿入孔を１つとしていて、第２のボルト挿入孔をソールウエイトのフェース側とバックフェース側に配置し、その中間に第２の止めビス挿入孔を配置しているが、２つの第２の止めビス挿入孔をソールウエイトのフェース側とバックフェース側に配置し、その中間に１つの第２のボルト挿入孔を配置してもよい。
なお、本願請求項１ないし請求項６に係るヘッドおよびソールウエイトは、それぞれ金属製であっても、あるいは、合成樹脂製であっても良いことは勿論である。
【図面の簡単な説明】
【００１７】
【図１】図１は、実施例１に係るロフト角およびフェース角の調整可能なゴルフクラブのヘッドのソール面の見上げ図である。
【図２】図２は、図１におけるII−II矢視断面図である。
【図３】図３は、実施例１に係るロフト角およびフェース角の調整可能なゴルフクラブのヘッドのロフト角およびフェース角の説明図である。
【図４】図４は、実施例２に係るロフト角およびフェース角の調整可能なゴルフクラブのヘッドのソール面の斜視図である。
【図５】図５は、図４におけるＶ−Ｖ矢視断面図である。
【図６】図６（ａ）は、特開２００２-２８２４００号公報に開示の実施例に係るクラブシャフトの先端部分の斜視図であり、図６（ｂ）は、クラブヘッドとクラブシャフトの接合部分の断面図である。
【図７】図７（ａ）は、特開２００３-６２１３１号公報に開示の実施例に係るゴルフクラブヘッドの見上げ図であり、図７（ｂ）および図７（ｃ）は、クラブヘッドの側面図である。
【符号の説明】
【００１８】
１  実施例１に係るロフト角およびフェース角の調整可能なゴルフクラブのヘッド
２  実施例２に係るロフト角およびフェース角の調整可能なゴルフクラブのヘッド
１０  ソール面
１２  フェース
１４  バックフェース
１６  ボーゼル
２２  実施例１に係るソール凹み部
２４  実施例２に係るソール凹み部
２６  実施例１に係るソールウエイト
２８  実施例２に係るソールウエイト
３４  第1のボルト挿入孔
３６  止めビス
３８  第１の止めビス挿入孔
４０  頭付きボルト
４２  ボルト貫通孔
４４  第２のボルト挿入孔
４６  第２の止めビス挿入孔
４８  調整用ウエイト
【発明を実施するための最良の形態】
【００１９】
本発明を実施するための最良の形態に係る実施例１および実施例２について、図１ないし図５に基づいて説明する。
図１は、実施例１に係るロフト角およびフェース角の調整可能なゴルフクラブのヘッドのソール面の見上げ図、図２は、図１におけるII−II矢視断面図、図３は、実施例１に係るロフト角およびフェース角の調整可能なゴルフクラブのヘッドのロフト角およびフェース角の説明図、図４は、実施例２に係るロフト角およびフェース角の調整可能なゴルフクラブのヘッドのソール面の斜視図、図５は、図４におけるＶ−Ｖ矢視断面図、である。【００２０】
図１ないし図５において、符号１は実施例１に係るロフト角およびフェース角の調整可能なゴルフクラブのヘッド、符号２は実施例２に係るロフト角およびフェース角の調整可能なゴルフクラブのヘッド、符号１０はソール面、符号１２はフェース、符号１４はバックフェース、符号１６はボーゼル、符号２２は実施例１に係るソール凹み部、符号２４は実施例２に係るソール凹み部、符号２６は実施例１に係るソールウエイト、符号２８は実施例２に係るソールウエイト、符号３０は頭部、符号３２は雄螺子部、符号３４は第1のボルト挿入孔、符号３６は止めビス、符号３８は第１の止めビス挿入孔、符号４０は頭付きボルト、符号４２はボルト貫通孔、符号４４は第２のボルト挿入孔、符号４６は第２の止めビス挿入孔、符号４８は調整用ウエイト、である。
【実施例１】
【００２１】
まず、本願発明の実施例１に係るロフト角およびフェース角の調整可能なゴルフクラブのヘッド１について、図１ないし図３を基に説明する。【００２２】
実施例１に係るロフト角およびフェース角の調整可能なゴルフクラブは、ヘッド１とその一端にグリップが装着されたシャフト（図示外）とからなり、図示外のシャフトはヘッド１のホーゼル１６に挿着されている。実施例１および後述する実施例２については、シャフトおよびグリップは周知のものを使用し、当該シャフトのヘッドに対する固着方法も周知の技術を使用している。このため、実施例１および実施例２では、主としてヘッドについて説明する。【００２３】
ヘッド１のソール面１０には、平面視が円形のソール凹み部２２が凹設されている。ソール凹み部２２はソール面１０に開口していて、その形状は略円柱状となっている。そして、実施例１においては、ソール凹み部２２の開口面の大きさは、略２０ｍｍφであり、凹みの深さを略１０ｍｍとしているが、この面の大きさや凹みの深さは、適宜変えることができる。また、実施例１においては、ソール凹み部２２の凹設位置をヘッド１のバックフェース１４寄り、かつ、ヒール寄りとしているが、この位置についても適宜変えることができる。さらに、ソール凹み部２２の底面の中心部には第1のボルト挿入孔３４が穿設されている。そして、第1のボルト挿入孔３４の内面には雌螺子が螺刻され、この雌螺子に後述するソールウエイト２６の雄螺子部３２が螺合するようになっている。【００２４】
ソールウエイト２６は、円盤状の頭部３０と雄螺子部３２とからなり、雄螺子部３２が円盤状の頭部３０の中心部に立設されていて、全体の形状は頭付きボルト状となっている。この雄螺子部３２を、前述した第1のボルト挿入孔３４に螺入し、螺入する長さを調整することにより、頭部３０の表面（すなわち、ソールウエイト２６を倒立させたときの底面）のソール面１０からの突出高さを調整することができるようになっている。【００２５】
また、頭部３０にはその円盤の厚さ方向に、第１の止めビス挿入孔３８、３８が穿設されていて、その内面には止めビス３６が螺合する雌螺子が螺刻されている。さらに、頭部３０の表面には、その中心部を横切るようにして溝が刻設されていて、この溝に螺子回しの先端を嵌合させて、ソールウエイト２６をソール凹み部２２に対して回動させることができるようになっている。【００２６】
止めビス３６は、全長に亘って同径の丸棒状を呈し、その周面には雄螺子が螺刻されていて、前述したように第１の止めビス挿入孔３８に螺合し、止めビス３６の先端が第１の止めビス挿入孔３８に螺入されてソール凹み部２２の底面に向かって突出すると、止めビス３６の他端は第１の止めビス挿入孔３８内に没入するようになっている。また、止めビス３６の他端の表面には、その中心部を横切るようにして溝が刻設されていて、この溝に螺子回しの先端が嵌合する。【００２７】
つぎに、ヘッド１の作用について説明するが、その前に、本願明細書等において使用するロフト角、フェース角およびソールインバージョンの用語について、図３を基に説明する。なお、図３におけるＧＬは地面である。
シャフト軸線Ａに対して、フェース面である線Ｂとのなす角αをフェース角といい、α＝０°の場合をスクエアー、α＜０°の場合（図示の場合）をフックフェース、α＞０°の場合をオープンフェースという。また、ソールインバージョンとはソールの面が形成する線Ｄが、図３（ｃ）に示すように右上がりになっている場合、すなわち、γ＞０°のときをソールインバージョンがあるといい、線ＤとＧＬが一致しているときをソールインバージョンがないという。そして、ロフト角とはフェースの傾きの度合いを示すもので、線Ａとフェースの傾きを示す線Ｃとのなす角β１をリアルロフトといい、ＧＬと線Ｃとのなす角β２をオリジナルロフトという。【００２８】
ソールウエイト２６の雄螺子部３２をソール凹み部２２の第1のボルト挿入孔３４に螺入させて、螺入する長さを変えることにより、ソール面１０に対するソールウエイト２６底面の突出高さが変化する。ソールウエイト２６底面の突出高さの変化により、ソールインバージョンがない状態からソールインバージョンがある状態へと移行し、線Ｄの傾きが変化するため、オリジナルロフトβ２は変化するが、リアルロフトβ１は変化しない。【００２９】
具体的に言えば、ソールウエイト２６底面の突出高さを徐々に大きくしていくと、オリジナルロフトβ２は徐々に減少する一方で、フェース角αも徐々にマイナス方向に変化していく。すなわち、フェース角αはオープンフェースからフックフェース（図３（ａ）に示す状態）へと変化していく。そして、所望のオリジナルロフトβ２およびフェース角αになった状態で、すなわち、所望のソールウエイト２６底面の突出高さになった状態で、第１の止めビス挿入孔３８、３８に止めビス３６、３６を挿入し、さらに、止めビス３６、３６を右に回して螺入させていくと、止めビス３６の先端はソール凹み部２２の底面を押圧する。止めビス３６がソール凹み部２２の底面を押圧することにより、ソールウエイト２６自体の回動が不可能となって、ソールウエイト２６はソール凹み部２２に固定される。なお、ソールウエイト２６自体を再度回動させるには、止めビス３６、３６を左に回して止めビス３６、３６の先端をソール凹み部２４の底面から離間させることにより可能となる。したがって、ソールウエイト２６の固定後に、ソールウエイト２６底面の突出高さの再調整が可能である。【００３０】
ところで、「特許文献２」で示した特開２００２-２８２４００号公報に開示のクラブシャフト（以下、「ベンドシャフト」という。）にあっては、リアルロフトβ１は変化するが、オリジナルロフトβ２は変化しない。ベンドシャフトと本願発明の実施例１に係るゴルフクラブのヘッド１（以下、「ヘッド１」という。）との関係を表１に示す。なお、表１では、変化する場合を○、変化しない場合を×と表記している。【００３１】
【表１】
0004177414.tif 000002
【００３２】
上述のようなベンドシャフトとヘッド１との関係から、本願発明は、ベンドシャフトと組み合わせることによりさらに一層その効果を奏するので、以下に説明する。【００３３】
ベンドシャフト１０１の曲折部１０２（図６参照）をホーゼル１６に埋入し、ベンドシャフト１０１を僅かに左右いずれかに回すと、リアルロフトβ１が減少し、フェース角αが増加してオープンフェースとなる。そのため、前述したように、ソールウエイト２６底面の突出高さを徐々に大きくしていくと、フェース角αも徐々にマイナス方向に変化していき、オープンフェースとなったフェース面は元に戻ることになる。このような手順により、所望のオリジナルロフトβ２およびフェース角αを有するゴルフクラブを得ることができるのである。
【実施例２】
【００３４】
つぎに、本願発明の実施例２に係るロフト角およびフェース角の調整可能なゴルフクラブのヘッド２について、図４および図５を基に説明する。なお、実施例２では、実施例１と同一の要素については同一の符号を付しており、説明が重複する場合はその説明を省略する。【００３５】
実施例２に係るロフト角およびフェース角の調整可能なゴルフクラブは、ヘッド２とその一端にグリップが装着されたシャフト（図示外）とからなり、図示外のシャフトはヘッド２のホーゼル１６に挿着されている。【００３６】
ヘッド２のソール面１０には、平面視が略台形を呈するソール凹み部２４が凹設されている。このソール凹み部２４の平面視における形状は、フェース１２側の１辺をフェース１２面に略平行な曲線状とし、バックフェース１４側の１辺をバックフェース１４面に略平行な曲線状としていて、かつ、フェース１２側の１辺はバックフェース１４側の１辺よりも長く、フェース１２側の１辺の両端およびバックフェース１４側の１辺の両端をそれぞれ直線で結んだ形状になっている。そして、ソール凹み部２４は略垂直に凹んでいて、その凹みの深さは、フェース１２側よりバックフェース１４側が深くなっている。実施例２においては、ソール凹み部２４の略台形の大きさは、フェース１２側の辺の長さを略３５ｍｍ、バックフェース１４側の辺の長さを略２５ｍｍ、フェース１２側の辺とバックフェース１４側の辺との距離を略５５ｍｍとし、フェース１２側の凹みの深さを略５ｍｍ、バックフェース１２側の凹みの深さを略１０ｍｍとしているが、ソール凹み部２４の面の大きさや凹みの深さは、適宜変えることができる。また、ソール凹み部２４の底面のフェース１２側とバックフェース１４側には、それぞれ第２のボルト挿入孔４４、４４が穿設され、第２のボルト挿入孔４４の内面には雌螺子が螺刻されている。ここでは、バックフェース１４側を第２のボルト挿入孔４４ａとし、フェース１２側を第２のボルト挿入孔４４ｂとする。【００３７】
ソールウエイト２８は、ソール凹み部２４に嵌合するように形成されている。すなわち、ソールウエイト２８の表面（ソールウエイト２８を倒立させたときの底面）は、ソール凹み部２４の平面視における形状と略同一の台形となっていて、ソールウエイト２８の略台形の縁部から立上る周壁を有し、フェース１２側の周壁の高さよりもバックフェース１４側の周壁の高さのほうが高くなっている。【００３８】
第２のボルト挿入孔４４ａおよび第２のボルト挿入孔４４ｂに対応するソールウエイト２８の表面の位置には、ボルト貫通孔４２が穿設されていて、それぞれをボルト貫通孔４２ａおよびボルト貫通孔４２ｂとしている。そして、ボルト貫通孔４２の内面は平滑であり、同一軸を中心とする径の異なる２つの孔が連設された状態となっている。すなわち、この径の違いにより、ボルト貫通孔４２の内面には段差部が形成され、大きな径の方がソールウエイト２８の底面に開口している。また、ソールウエイト２８のボルト貫通孔４２ａとボルト貫通孔４２ｂとの間には、第２の止めビス挿入孔４６が穿設されていて、第２の止めビス挿入孔４６の内面には雌螺子が螺刻されている。【００３９】
そして、頭部と雄螺子部とからなる頭付きボルト４０、４０が、ボルト貫通孔４２ａおよびボルト貫通孔４２ｂを貫通して、その先端が第２のボルト挿入孔４４ａおよび第２のボルト挿入孔４４ｂに螺入することにより、ソールウエイト２８はソール凹み部２４に螺着する。そして、頭付きボルト４０の頭部がボルト貫通孔４２の内面に形成された段差部と係止するために、ソールウエイト２８の表面のソール面１０からの突出高さが調整される。すなわち、ボルト貫通孔４２ａを貫通し第２のボルト挿入孔４４ａに螺入する頭付きボルト４０の螺入長さにより、ソールウエイト２８の底面のバックフェース１４側の縁部の突出高さが調整され、ボルト貫通孔４２ｂを貫通し第２のボルト挿入孔４４ｂに螺入する頭付きボルト４０の螺入長さにより、ソールウエイト２８の底面のフェース１２側の縁部の突出高さが調整される。【００４０】
なお、止めビス３６の形状については、実施例１において説明したので、その説明を省略する。【００４１】
ソールウエイト２８とソール凹み部２４とを螺着させることにより、閉空間が形成されるが、この閉空間内には、調整用ウエイト４８が収納され固着されている。実施例２における調整用ウエイト４８はソールウエイト２８の底面と一体成型されている。すなわち、ソールウエイト２８の底面の厚みを適宜調整することにより、調整用ウエイト４８の重さが調整される。なお、ソールウエイト２８と調整用ウエイト４８とを別個のものとして、ソールウエイト２８とソール凹み部２４とが形成する閉空間内の所定の位置に固着しても良いことは勿論である。【００４２】
つぎに、ヘッド２の作用について説明する。なお、ロフト角、フェース角およびソールインバージョンの用語については、実施例１で説明した内容がそのまま実施例２についても適用できるので、その説明を省略し、ロフト角、フェース角およびソールインバージョンについての説明のために付した符号もそのまま使用する。【００４３】
ソールウエイト２８をソール凹み部２４に嵌合させた後、頭付きボルト４０、４０をボルト貫通孔４２ａ、４２ｂに貫通させて、さらに、第２のボルト挿入孔４４ａ、４４ｂに螺入させる。そして、ソールウエイト２８の底面のフェース１２側の縁部をソール面１０と略同一とし、ソールウエイト２８の底面のバックフェース１４側の縁部の突出高さを調整することにより、図３（ｃ）に示す線Ｄが右上がりになる。すなわち、ソールウエイト２８の底面のフェース１２側の縁部の突出高さをソール面１０と略同一に固定し、ソールウエイト２８の底面のバックフェース１４側の縁部の突出高さのみを変化させれば、まさに、段落番号（００２８）および段落番号（００２９）で説明した実施例１におけるロフト角、フェース角の調整方法がそのまま適用できる。【００４４】
また、実施例１と同様に、実施例２に係るロフト角およびフェース角の調整可能なゴルフクラブのヘッド２と「特許文献２」で示した特開２００２-２８２４００号公報に開示のベンドシャフトを併用することにより、所望のオリジナルロフトβ２およびフェース角αを有するゴルフクラブを得ることができることは、実施例１と同様であり、実施例２におけるロフト角、フェース角の調整方法については、その説明を省略する。【００４５】
所望のオリジナルロフトβ２およびフェース角αになった状態で、第２の止めビス挿入孔４６に止めビス３６を螺入させ、止めビス３６の先端をソール凹み部２４の底面に押圧させる。止めビス３６がソール凹み部２４の底面を押圧することにより、ソールウエイト２８はソール凹み部２４に固定される。なお、ソールウエイト２８の突出高さを再度調整するには、実施例１と同様に、止めビス３６を左に回してその先端をソール凹み部２４の底面から離間させることにより可能となる。【００４６】
また、実施例２に係るソールウエイト２８は、地面とは面接触になるので、打撃時の芝生（地面）との抵抗が少なく、フェアウエイウッドに対しても使用可能であり、かつ、ソールウエイト２８の平面視における形状が、フェース１２側が長くバックフェース１４側が短い略台形であって、フェース１２側の突出高さがソール面１０と略同一であるので、スイング時の振り抜きがきわめて良好となる。【００４７】
そして、ソールウエイト２８とソール凹み部２４とにより、閉空間が形成されるので、この空間に調整用ウエイト４８を収納固着させることができることは前述した。このように、調整用ウエイト４８を取り付けることにより、ゴルフクラブのヘッドの外面にはバランスウエイトを付着させることなく、個々のプレイヤーに合ったロフト角、フェース角およびバランスを有するゴルフクラブを得ることができる。【００４８】
なお、ソールウエイト２８の底面のフェース１２側の縁部については、ソール面１０とその突出高さを略同一に固定させることから、ソールウエイト２８のフェース１２側をソール凹み部２６に軸支させて開閉自在とし、ボルト貫通孔４２、４２をボルト貫通孔４２ａのみとすることもできる。
【図１】
0004177414.tif 000003
【図２】
0004177414.tif 000004
【図３】
0004177414.tif 000005
【図４】
0004177414.tif 000006
【図５】
0004177414.tif 000007
【図６】
0004177414.tif 000008
【図７】
0004177414.tif 000009